(57)【要約】【課題】患者がオムツの中に手を入れることを抑制し、介護者は容易にオムツ交換出来、負担を軽減するパジャマを提供する。【解決手段】本発明に係る介護用パシャマは、上衣１に縦オープンファスナー終点８を襟１２側に設けると共に、縦オープンファスナー始点７は、横オープンファスナー３より下方（裾１１側）に取付けられている。上衣１には横オープンファスナー上部３ａを取付け、ズボン２には横オープンファスナー下部３ｂを取り付けることにより、上衣１とズボン２は着脱可能である。横オープンファスナー３は、腰よりやや上面であって、腰の側面やや後方から前面に向って左右各１本取付ける。横オープンファスナー始点５は腰のやや後方から横オープンファスナー終点６である前面側に向って取り付け、背骨付近には横オープンファスナー３が来ないように、上衣とズボンの連結部がない構成である。【選択図】図１
2011021306.tif 000002
【特許請求の範囲】
【請求項１】
上衣を縦オープンファスナーによって前面側を開閉するように、縦オープンファスナー始点を上衣下部から襟に向って上衣上部の終点に向って方向に開くように取付け、ズボンの中に裾を入れ縦オープンファスナーの始点は横オープンファスナーより下方に位置し、横オープンファスナーにより上衣とズボンを着脱可能としたことを特徴とする介護用パシャマ。
【請求項２】
前記、上衣及びズボンは、後面側に横オープンファスナーの始点があり前面側に横オープンファスナー終点があることを特徴とする請求項１に記載の介護用パジャマ。
【請求項３】
前記、横オープンファスナーは、左右各一本使用して各々開く始点は左右側面後方で、始点の間は上衣とズボンが連結されていないことを特徴とする請求項１または請求項２のいずれかに記載の介護用パジャマ。
【発明の詳細な説明】
【技術分野】
【０００１】  本発明は、痴呆症患者のパジャマに関するもので、上下着脱出来る構成であるが、痴呆患者には上下着脱は容易に出来なく又パジャマ内に手を入れて汚物に触れることを防止するものに関する。
【背景技術】
【０００２】  高齢化社会に向っている現在、寝巻き・バシャマ等において種々介護用として提案されている。しかし、患者が寝たきりあって、痴呆症・身体障害者・身体不自由な場合、介護用の衣類やオムツ交換作業は介護者にとって重労働である。【０００３】  従来例１．パシャマの上衣をオープンファスナによって前開き可能にし、又、その上衣の内側における裾から少し上方位置にオープンファスナーの上部を腰回り方向（腰全周）に取付けるとともに、ズボンの上端位置にオープンファスナーの上部と着脱自在なオープンファスナーの下部を同じく腰回り方向（腰全周）に取付けて上衣１とズボンを接続可能且つ分離可能であり、オープンファスナーに錠を組み込み、患者の行為を抑制することにより上衣やズボンを脱いでしまったり、オムツ内に手を差込んで汚物に触れたりすることを防止する技術が開示されている（特許文献１参照）。【０００４】  従来例２．上半身に着用する上衣と、この上衣縦方向の所定の線に沿って開閉できるとともに、この開閉部分から手が入らないよう状態で開閉部分を閉封可能なファスナと、下半身に着用するズボンとを分離可能に連結するとともに、上衣とズボンとの連結部分から手が入らない状態で連結するファスナ（腰全周）とを備えた技術が開示されている（特許文献２参照）。
従来例１．従来例２．何れも介護者の労力が軽減されるものである。
【先行技術文献】
【特許文献】
【０００５】
【特許文献１】特開平１１−６１５２１号公報（第２図，第３図）
【特許文献２】特開平９−２５００１０号公報（第４図）
【発明の概要】
【発明が解決しようとする課題】
【０００６】しかし、（１）オープンファスナーを開閉するスライダーが前面にあり、患者の手に触れ易い場所にあると、患者は無意識に開いてしまいオムツに手を入れ汚物に触れてパジャマや寝具を汚してしまう。（２）腰回り全体にオープンファスナーを設けると腰の部分に床ずれが起こしたりして患者に不快感を与えたり、背骨の付近に腰の痛みを訴える患者が出てくる。（３）腰回り全周にオープンファスナーがある場合、オープンファスナー操作時に患者を左右に動かす場合、移動範囲が多く介護者の負担が重くなる。（４）オープンファスナーに錠を組込むことはオープンファスナーの開閉時に時間を要するとともにオープンファスナーのスライダーの構造が複雑になり価格が上昇する。【０００７】  上記課題に鑑みて、本発明は、簡単にオムツ交換が出来るとともに、患者がオムツに手を入れることを抑制でき、介護者の負担を軽減できる介護用パシャマを提供することを目的とする。
【課題を解決するための手段】
【０００８】本発明に係る介護用パシャマの上衣１には、縦オープンファスナーの終点８を襟１２付近に設けると共に、縦オープンファスナーの始点７は、上衣１の横オープンファスナー３の下方に取付けられている。上衣１には横オープンファスナー上部３ａを取付け、ズボン２の上端部に横オープンファスナー下部３ｂを取り付けて、上衣１とズボン２は着脱可能になっている。【０００９】横オープンファスナー３は、腰よりやや上面で腰の側面やや後方から前方に向って左右各１本取付け、横オープンファスナー始点５は腰のやや後方から横オープンファスナー終点６の前方に向って（後方から前方に開く方式）備えている。
【発明の効果】
【００１０】（１）請求項１によれば、上衣は縦オープンファスナーの始点を横オープンファスナーの下方に設けたことにより患者は、無意識に縦オープンファスナーの始点に触れることはなくなり、オムツに手を入れて汚物に触れることもなく、介護用パジャマや寝具を汚すことがなく介護者の負担が軽減される効果がある。
（２）請求項２によれば、上衣及びズボンの左右側面後方に横オープンファスナーの始点があり前面側に終点があることで、無意識に横オープンファスナーを開くことやオムツに手を入れて汚物に触れることがなく、介護用パジャマや寝具を汚すことがなく介護者の負担が軽減される効果がある。
（３）請求項３によれば、横オープンファスナーは、左右各一本使用して各々の始点は左右側面後方にあり、各始点の間は上衣とズボンが連結されていない箇所を設けたことで、横オープンファスナーが背面になく、患者は背骨や背中の痛みなどが軽減され、又、介護者は横オープンファスナーを開く距離を少なくてすみ、負担が軽減される効果がある。
【図面の簡単な説明】
【００１１】
【図１】図１は全体正面図を示した説明図である。
【図２】図２は全体後面図を示した説明図である。
【図３】図３は上衣部分の前面図を示した説明図である。
【図４】図４は上衣部分の後面図を示した説明図である。
【図５】図５はズボンの前面図を示した説明図である。
【図６】図６はズボンの後面図を示した説明図である。
【発明を実施するための形態】
【００１２】  痴呆症患者が、無意識にオムツ内に手を入れ汚物に触れ介護用パジャマや寝具を汚すことを抑制し、介護者の負担を軽減する手段を実現した。
【実施例】
【００１３】    以下、本発明の実施の形態を図面に基づいて説明する。図１は、本発明に係る介護用パジャマの全体正面図である。図２は介護用パジャマの全体後面図である。図３〜図６は上衣１の部分とズボン３の部分図である。【００１４】  図１に示すように、上衣１とズボン２は、横オープンファスナー３で着脱可能に取り付けられ、上衣１は縦オープンファスナー４で前方が開閉できるようになっている。ズボン２の中に上衣１の裾１１をいれる。上衣下部１ｂの腰よりやや上部に横オープンファスナー３ａが取付けられている。縦オープンファスナー始点７は上衣１とズボン２が横オープンファスナー３ａ，３ｂで連結されている下方（ズボン２の中）に入っているため、患者が無意識にオムツに手を入れることは出来ない。図２に示すように横オープンファスナー始点間９ａは、背骨などが当たらないように腰の左右側面後方位置までとして、上衣１とズボン２に連結されていない箇所をつくり、患者の不快感を軽減させるとともに、横オープンファスナー３が全周ではなく腰の左右側面後方位置までのため、横オープンファスナー３の開閉距離が少なく、介護者は上衣１とズボン２を着脱時の負担が軽減される。【００１５】  上衣１は図３に示すように縦オープンファスナー終点８を襟１２付近に、縦オープンファスナー始点７を横オープンファスナー上部３ａより下側の裾１１方向に取付けられている。横オープンファスナー上部３ａは左右に一本づつ腰の側面後方より前方に取付けられており、縦オープンファスナー４の開閉に支障ない程度に横オープンファスナー上部３ａの左右の終点間９ｂに間隙を設けて取り付けてある。また、図４に示すように腰の左右側面後方へより背骨方向においては、横オープンファスナー始点間９ａは十分に空間（上衣１とズボン２は連結されていない箇所）を設けて横オープンファスナー３を取り付ける。【００１６】  患者へのパジャマの着衣の一例として、前記上衣１の縦オープンファスナー４が上衣下部１ｂにある縦オープンファスナー始点７から上衣上部１ａの襟１２付近の縦オープンファスナー終点６に移動して前面を開いて患者に着衣させる。着衣の後は開いた時と逆の操作で前面を閉める。その後、ズボン２は腰回りにゴム１０が入っているものを履かせ、上衣下部１ｂの裾１１はズボン２の中へ入れて、上衣１に取り付けられた左右の横オープンファスナー上部３ａと、ズボン２に取り付けられた左右の横オープンファスナー下部３ｂを取り付ける。取り付け方法は、横オープンファスナー下部３ｂを横オープンファスナー上部３ａの横オープンファスナー終点６位置に差込み横オープンファスナー始点５へと移動し閉めていく。（差込方法は横オープンファスナー上部３ａを横オープンファスナー下部３ｂ横オープンファスナー終点６位置に差込みでもよい）。他方のファスナーも同様にして閉めるように構成されている。
【符号の説明】
【００１７】  １    上衣
１ａ  上衣上部
１ｂ  上衣下部
２    ズボン
３    横オープンファスナー
３ａ  横オープンファスナー上部
３ｂ  横オープンファスナー下部
４    縦オープンファスナー
５    横オープンファスナー始点
６    横オープンファスナー終点
７    縦オープンファスナー始点
８    縦オープンファスナー終点
９ａ  横オープンファスナー始点間（上衣とズボンが連結されていない箇所）
９ｂ  横オープンファスナー終点間（上衣とズボンが連結されていない箇所）
１０    ゴム
１１    裾
１２    襟
【図１】
2011021306.tif 000003
【図２】
2011021306.tif 000004
【図３】
2011021306.tif 000005
【図４】
2011021306.tif 000006
【図５】
2011021306.tif 000007
【図６】
2011021306.tif 000008